(57)【要約】      （修正有）【課題】持ち運びが容易で、携帯性にすぐれ、安価な携帯電話機用の携帯スタンドを提供する。【解決手段】自立型の本体１１に設けられ、携帯電話機２の表示面３を所定の角度に支持する支持部１２とを備える。そして、支持部１２は、携帯電話機２の表示面３と相対向する背面４を支持する背面支持部と、携帯電話機２の側面５を支持する側面支持部とを有し、背面支持部と側面支持部とが略直角となることを特徴とする。【選択図】図１
0003141897.tif 000002
【実用新案登録請求の範囲】
【請求項１】
自立型の本体と、
上記本体に設けられ、携帯電話機の表示面を所定の角度に支持する支持部とを備え、
上記支持部は、上記携帯電話機の表示面と相対向する背面を支持する背面支持部と、該携帯電話機の側面を支持する側面支持部とを有し、該背面支持部と該側面支持部とが略直角となることを特徴とする携帯電話機用携帯スタンド。
【請求項２】
上記本体は、上記携帯電話機と結束するための結束具が設けられることを特徴とする請求項１記載の携帯電話機用携帯スタンド。
【請求項３】
上記本体は、底部に開口部が設けられており、
上記開口部から上記本体内部を充填する充填部材が取り付けられることを特徴とする請求項１又は２記載の携帯電話機用携帯スタンド。
【請求項４】
上記支持部は、滑り止め加工が施されていることを特徴とする請求項１乃至３のいずれか１項記載の携帯電話機用携帯スタンド。
【請求項５】
上記本体は、振動吸収素材からなることを特徴とする請求項１乃至４のいずれか１項記載の携帯電話機用携帯スタンド。
【考案の詳細な説明】
【技術分野】
【０００１】
本考案は、携帯電話機を載置することができる携帯電話機用の携帯スタンドに関する。
【背景技術】
【０００２】
従来、携帯電話機を机等に載置するための据え付け型のスタンドは各種提案されている。この据え付け型のスタンドは、携帯電話機を載置するだけで、スタンドに設けられた端子と携帯電話機の電源端子とが電気的に接続されるようになっている。また、この据え付け型のスタンドは、電源ケーブルと接続するための端子も有しており、ユーザが当該スタンドに携帯電話機を載置するだけで、充電を行えるようになっている、いわゆるクレードルとなっている。さらに、この据え付け型のスタンドは、机上等で利用したときに、携帯電話機の表示面がユーザの見やすい角度となるように、携帯電話機の本体を傾斜するように支持する。
【０００３】
しかしながら、この据え付け型のスタンドは、携帯電話機の機種によって異なる位置に設けられる電源端子の位置に対応して、当該スタンドにおける端子を設ける必要があることから、携帯電話機の機種ごとに設計、製造する必要がある。また、この据え付け型のスタンドは、自宅、職場等に据え付けて使用することを想定したものであり、持ち運びを想定して作られたものではなく、そのため携帯性に欠ける設計となっていた。
【０００４】
ところで、近年の携帯電話機には、テレビ放送を受像したり、メモリに記録されたビデオデータ等を再生する機能を備えたものが増えており、外出先において、これらの機能を利用する機会が増えている。
【０００５】
しかしながら、外出先にて携帯電話機でテレビ方向を受像した場合など、携帯電話機の表示面をユーザにとって見やすい角度に載置するためには、大がかりな上述のようなスタンドを持ち運ぶ必要があり、不便であった。
【０００６】
【特許文献１】特開２００２−９９１７号公報
【考案の開示】
【考案が解決しようとする課題】
【０００７】
本考案は、このような従来の実情に鑑みてなされたものであり、持ち運びが容易で、携帯性にすぐれ、安価な携帯電話機用の携帯スタンドを提供することを目的とする。
【課題を解決するための手段】
【０００８】
上述した目的を達成するために、本考案に係る携帯電話機用携帯スタンドは、自立型の本体と、上記本体に設けられ、携帯電話機の表示面を所定の角度に支持する支持部とを備える。そして、上記支持部は、上記携帯電話機の表示面と相対向する背面を支持する背面支持部と、該携帯電話機の側面を支持する側面支持部とを有し、該背面支持部と該側面支持部とが略直角となることを特徴とする。
【考案の効果】
【０００９】
本考案では、携帯性に優れ、簡易な構成で、携帯電話機の表示面を所定の角度に支持することができる。本考案に係る携帯電話機用携帯スタンドは、簡易な構成であることから、低コストを実現できる。
【考案を実施するための最良の形態】
【００１０】
以下、本考案を適用した具体的な実施例について、図面を参照しながら詳細に説明をする。
【００１１】
本考案を適用した携帯電話機用携帯スタンド１は、図１に示すように、略矩形の携帯電話機２を、その携帯電話機２が有する表示面３が見やすい角度に載置して使用するものである。携帯電話機用携帯スタンド１は、自立型の本体１１と、本体１１に設けられ、携帯電話機２の表示面３を所定の角度に支持する支持部１２とを備える。
【００１２】
携帯電話機２は、一般に市販されているものであり、略矩形状を有し、一方の主面に、液晶表示部等の表示面３が設けられている。携帯電話機２は、テレビ放送を受像し視聴したり、内蔵するメモリまたは着脱自在なメモリに記録されたビデオデータ等を再生し、表示面３に表示することができる。なお、携帯電話機２は、いわゆる携帯電話機に限らず、ＰＨＳ（Personal Handy-phone System）であってもよいことは勿論である。
【００１３】
携帯電話機用携帯スタンド１は、図１に示すように、略直方体形状から支持部１２となる側面視略Ｖ字状に切り欠いた形状からなる本体１１を有する。本体１１は、机等の平面と接する底部を有し、いわゆる自立型であり、机等の平面に安定して載置される。本体１１は、携帯性に優れた大きさであり、例えば、２［ｃｍ］×２［ｃｍ］×２［ｃｍ］である。なお、本体１１は、机等の平面に安定して載置される形状であればよく、例えば、複数の足を有する形状であってもよい。また、便宜上、本体１１の幅方向をＸ方向、奥行き方向をＹ方向、高さ方向をＺ方向として説明をする。
【００１４】
携帯電話機用携帯スタンド１の本体１１は、可撓性を有する材料である、例えば合成樹脂から形成されている。本体１１は、正面１１ａ、この正面１１ａのＸ方向における両側から連続する左側面１１ｂ、右側面１１ｃ、左右側面１１ｂ、１１ｃのＹ方向における一側と連続する背面１１ｄ、この背面１１ｄのＺ方向における上端から連続するとともに、左右側面１１ｂ、１１ｃとも連続する上面１１ｅとからなる。本体１１は、正面１１ａ、左右側面１１ｂ、１１ｃ、背面１１ｄのそれぞれの底辺を結んで形成される略四角形の囲いにおいて、机等の平面と接する。また、本体１１は、軽量化を図るために、内部が空洞となっている。
【００１５】
本体１１の正面１１ａは、幅方向Ｘにおける長さが背面１１ｄと同じであり、高さ方向Ｚにおける長さが背面１１ｄの高さの略１／３に形成されている。本体１１の上面１１ｅは、幅方向Ｘにおける長さが正面１１ａ及び背面１１ｄと同じであり、奥行き方向Ｙにおける長さが左右側面１１ｂ、１１ｃの底辺の長さの略１／３に形成されている。
【００１６】
左右側面１１ｂ、１１ｃは、略長方形の１つの角を含み、隣接する長辺と短辺の略２／３を切り欠き、その切り欠いた部分が、略Ｖ字状に隣接する２辺となる形状を有する。すなわち、左右側面１１ｂ、１１ｃは、正面１１ａと連続する辺の上端から鋭角な角部を形成する側面支持辺１５ａを有する。また、左右側面１１ｂ、１１ｃは、上面１１ｅと連続する辺の正面１１ａ側の端部から鈍角な角部を形成する背面支持辺１４ａを有する。側面支持辺１５ａと背面支持辺１４ａとは、略直角を形成するように交差する。
【００１７】
本体１１の支持部１２は、携帯電話機２の表示面３と相対向する背面４を支持する背面支持部１４と、携帯電話機２の側面５を支持する側面支持部１５とから構成されている。具体的には、支持部１２は、携帯電話機２を支持するとともに、その表示面３がユーザの見やすい角度となるように支持する部位である。支持部１２は、携帯電話機２と接する部位に、滑り止め加工が施されていることが好ましい。この滑り止め加工は、例えば、携帯電話機２と接する面に、幅方向Ｘと平行な方向に多数の溝を設けるようにして形成される。
【００１８】
なお、支持部１２に施す滑り止め加工は、上述に限らず、例えば、携帯電話機２と接する部位に接着性を有する材料を塗布するようにしてもよく、また、本体１１自体をそのような材料により形成するようにしてもよい。
【００１９】
支持部１２の背面支持部１４は、本体１１の上面１１ｅの幅方向Ｘにおける正面１１ａ側の辺１４ｂと、この辺１４ｂと直交し、辺１４ｂの両端から正面１１ａ側に傾斜して延伸される背面支持辺１４ａ、１４ａとからなる。背面支持部１４の背面支持辺１４ａ、１４ａ、辺１４ｂは、略コ字状となるように形成されており、背面支持辺１４ａ、１４ａの辺１４ｂとは反対側の端部において、側面支持部１５と連結されている。背面支持辺１４ａ、１４ａは、当該背面支持辺１４ａ、１４ａと左右側面１１ｂ、１１ｃの高さ方向Ｚにおける上端の辺とがなす角θ１が鈍角となる方向に延伸されている。
【００２０】
支持部１２の側面支持部１５は、本体１１の正面１１ａの幅方向Ｘにおける上面１１ｅ側の辺１５ｂと、この辺１５ｂと直交し、辺１５ｂの両端から背面１１ｄ側に傾斜して延伸される側面支持辺１５ａ、１５ａとを有する。側面支持部１５の側面支持辺１５ａ、１５ａ、辺１５ｂは、略コ字状となるように形成されており、側面支持辺１５ａ、１５ａの辺１５ｂとは反対側の端部において、背面支持部１４と連結されている。側面支持辺１５ａ、１５ａは、当該側面支持辺１５ａ、１５ａと左右側面１１ｂ、１１ｃの奥行き方向Ｙにおける正面１１ａ側の辺とがなす角θ２が鋭角となる方向に延伸されている。
【００２１】
支持部１２は、背面支持部１４と側面支持部１５とで形成される外角θ３が側面視、すなわちＸ軸方向から見たときに、略直角となるように連結されている。また、この背面支持部１４と側面支持部１５とで形成される外角θ３は、ＺＹ平面上で所定角度に回転されている。すなわち、この背面支持部１４と側面支持部１５とで形成される外角θ３は、携帯電話機２を支持したときに、表示面３をユーザが見やすい角度となるように傾斜して設けられている。
【００２２】
本体１１には、さらに、携帯電話機２と結束する結束具１６を取り付けるための取付孔１７が設けられている。具体的には、取付孔１７は、本体１１の右側面１１ｃの背面１１ｄ側と、背面１１ｄの右側面１１ｃ側とにそれぞれ設けられる貫通孔である。結束具１６は、紐状部材からなり、取付孔１７に挿通して本体１１に取り付けられる。また、結束具１６は、紐状部材が所定の長さを有し、携帯電話機２の所定位置に結束される。結束具１６は、本体１１と携帯電話機２との両方と結束された状態で、当該携帯電話機２を本体１１の支持部１２に載置できるだけの十分な長さがあるものとする。
【００２３】
以上のような構成を有する携帯電話機用携帯スタンド１は、本体１１に支持部１２を有し、この支持部１２が携帯電話機２の背面を支持する背面支持部１４と携帯電話機２の一側面を支持する側面支持部１５とから構成され、この背面支持部１４と側面支持部１５とが略直角に形成されるとともに、この略直角が携帯電話機２の表示面３が見やすいように傾斜して形成されている。携帯電話機用携帯スタンド１は、本体１１に支持部１２を設けることで形成することができることから、低コストで製造することができる。また、本体１１の大きさは、携帯電話機２と比して小さく形成することができるから、携帯性に優れるとともに、少ない材料費で加工し形成することができる。
【００２４】
また、携帯電話機用携帯スタンド１は、本体１１が合成樹脂などから形成されることから、持ち運び時における耐久性もある。
【００２５】
なお、携帯電話機用携帯スタンド１は、上述のように本体１１が可撓性を有する材料により形成されることに限らず、例えば、振動吸収素材から形成するようにしてもよい。このように、振動吸収素材から形成される本体１１では、携帯電話機２によるテレビ放送を受像し表示面３に表示している際に、携帯電話機２における通話着信やメール着信を知らせるバイブレータ等による振動を吸収することができ、このバイブレータ等による振動を当該携帯電話機用携帯スタンド１が設置される机等に伝播させることがなく、大きな振動音の発生を防止できる。
【００２６】
また、携帯電話機用携帯スタンド１は、上述のような略立方体形状の本体１１に限らず、机等の平面に載置することができ、携帯電話機２の表示面３を所定角度に支持できる支持部１２を有するものであれば、あらゆる形状とすることができる。
【００２７】
具体的には、他の実施例として示す携帯電話機用携帯スタンド２０は、図３（Ａ）に示すように、携帯スタンド１の本体１１と略同一の形状を有するが、内部が空洞となっていない本体２１を有する。なお、以下、携帯電話機用携帯スタンド１と同様の構成については、同様の符号を付す。
【００２８】
携帯スタンド２０の本体２１は、ポリウレタンなどの軽量で形状安定性を有する材料から形成され、本体１１と略同一形状からなり、内部が空洞とはなっておらず、携帯電話機２の表示面３を所定の角度に支持する支持部１２を有する。この本体２１の支持部１２は、携帯電話機２の背面４や側面５を面で支持することができる背面支持部１４と側面支持部１５とを有する。そのため、携帯スタンド２０では、より安定して携帯電話機２を支持することができる。
【００２９】
また、他の実施例として示す携帯電話機用携帯スタンド３０は、図３（Ｂ）に示すように、本体３１が略円柱形状に形成されている。携帯電話機用携帯スタンド３０の本体３１は、携帯電話機用携帯スタンド１と同様に、携帯電話機２の表示面３を所定角度に支持できる支持部１２を有する。この支持部１２は、携帯電話機２の背面４を支持する背面支持部１４と、携帯電話機２の一側面５を支持する側面支持部１５とから構成され、背面支持部１４と側面支持部１５が略直角となるように形成されている。また、携帯電話機用携帯スタンド３０の本体３１は、略円柱形状であるとともに、高さ方向Ｚにしたがい縮径する形状を有する。
【００３０】
また、携帯電話機用携帯スタンド４０は、図３（Ｃ）に示すように、本体４１を有し、この本体４１が、ポリウレタンなどの軽量で形状安定性を有する材料から形成され、本体３１と略同一形状からなり、内部が空洞とはなっておらず、携帯電話機２の表示面３を所定の角度に支持する支持部１２を有する。この本体４１の支持部１２は、携帯電話機２の背面４や側面５を面で支持することができる背面支持部１４と側面支持部１５とを有する。そのため、携帯スタンド４０では、携帯スタンド２０と同様に、より安定して携帯電話機２を支持することができる。
【００３１】
また、他の実施例として示す携帯電話機用携帯スタンド５０は、図３（Ｄ）に示すように、本体５１がＸＹ平面視、略扇形に形成されている。携帯電話機用携帯スタンド５０の本体５１は、携帯電話機用携帯スタンド１と同様に、携帯電話機２の表示面３を所定角度に支持できる支持部１２を有する。この支持部１２は、携帯電話機２の背面４を支持する背面支持部１４と、携帯電話機２の一側面５を支持する側面支持部１５とから構成され、背面支持部１４と側面支持部１５が略直角となるように形成されている。
【００３２】
また、携帯電話機用携帯スタンド６０は、図３（Ｅ）に示すように、本体６１を有し、この本体６１が、ポリウレタンなどの軽量で形状安定性を有する材料から形成され、本体５１と略同一形状からなり、内部が空洞とはなっておらず、携帯電話機２の表示面３を所定の角度に支持する支持部１２を有する。この本体６１の支持部１２は、携帯電話機２の背面４や側面５を面で支持することができる背面支持部１４と側面支持部１５とを有する。そのため、携帯スタンド６０では、携帯スタンド２０、４０と同様に、より安定して携帯電話機２を支持することができる。
【００３３】
さらに、他の実施例として示す携帯電話機用携帯スタンド７０は、図４に示すように、本体１１の底面の開口部から、本体１１の内部の空洞と同形状の充填材７１が内包されている。本体１１に内包される充填材７１は、本体１１の内部と同形状で、本体１１の内部に嵌合する大きさに形成されている。充填材７１は、上述の本体２１と同様に、ポリウレタンなどの軽量で形状安定性を有する材料から形成され、本体１１に携帯電話機２を載置した際の載置安定性を図るために設けられるものである。
【００３４】
なお、充填材７１は、本体１１の内部に嵌合する大きさに限らず、本体１１の底部に係合片を設け、着脱可能な構造を有するようにしてもよい。さらに、充填剤７１は、例えば、その表面が携帯電話機２の表示面３に付着した油脂分を拭き取る払拭部材により覆われるものであってもよい。
【００３５】
このように、携帯電話機用携帯スタンド１、２０、３０、４０、５０、６０、７０は、簡易な構成で携帯電話機２の表示面３を所定の角度に支持することができる。
【００３６】
なお、本考案に係る携帯電話機用携帯スタンドは、上述した実施例に限定されるものではなく、本考案の要旨を逸脱しない範囲において種々の変更が可能であることは勿論である。
【図面の簡単な説明】
【００３７】
【図１】本考案を適用した携帯電話機用携帯スタンドの使用形態を示す外観斜視図である。
【図２】本考案を適用した携帯電話機用携帯スタンドの右側側面図である。
【図３】他の実施例として示す携帯電話機用携帯スタンドの外観斜視図である。
【図４】他の実施例として示す携帯電話機用携帯スタンドの外観斜視図である。
【符号の説明】
【００３８】
１、２０、３０、４０、５０、６０、７０  携帯電話機用携帯スタンド、２  携帯電話機、３  表示面、４  背面、５  側面、１１、２１、３１、４１、５１、６１  本体、１１ａ  正面、１１ｂ  左側面、１１ｃ  右側面、１１ｄ  背面、１１ｅ  上面、１２  支持部、１４  背面支持部、１４ａ  背面支持辺、１５  側面支持部、１５ａ  側面支持辺、１６  結束具、１７  取付孔、７１  充填材
【図１】
0003141897.tif 000003
【図２】
0003141897.tif 000004
【図３】
0003141897.tif 000005
【図４】
0003141897.tif 000006